(57)【要約】【課題】ホウ珪酸ガラスなどの比較的脆弱な透光性材料からなる蓋板に割れや欠けなどの破損が少ない発光装置などを提供する。【解決手段】対向する上面２２および下面２３を有する絶縁材からなり、平面視が矩形状の上面２２の中央部に発光素子２９を搭載した底部板２１ａと、対向する表面１２および裏面１３を有する絶縁材からなり、底部板２１ａの上面２２における周辺上に沿って裏面１３が接合され、且つ貫通孔１４（６）を内設する枠１１ｆと、該枠１１ｆの表面１２に接合され、且つ該表面１２に開口する貫通孔１４の開口部を閉塞する平面視が矩形状で且つ透光性を有する蓋板１８と、を備え、前記蓋板１８の各側面は、平面視で枠１１ｆの上面１２の最外部よりも該蓋板１８の中央側に位置するように離れており、上記蓋板１８の各側面は、外側に凸の曲面１９を有している、発光装置１ａ。【選択図】  図２
2018060988.tif 000002
【特許請求の範囲】
【請求項１】
表面および該表面に対向する裏面を有する板状の絶縁材からなり、前記表面と裏面との間を貫通し且つ平面視で格子状に配置された複数の貫通孔を有する枠体と、該枠体の上記表面における上記貫通孔ごとの開口部を閉塞し且つ透光性を有する複数の蓋板と、を備えた蓋部材であって、
上記蓋板は、平面視で矩形状を呈し、該蓋板の各側面と隣接する蓋板の側面との間には、上記枠体の表面が露出していると共に、当該蓋板の各側面は、外側に凸の曲面を有している、
ことを特徴とする蓋部材。
【請求項２】
対向する上面および下面を有する絶縁材からなり、平面視が矩形状の前記上面の中央部に発光素子を搭載した底部板と、
表面および該表面に対向する裏面を有する絶縁材からなり、上記底部板の上面における周辺上に沿って前記裏面が接合され、且つ貫通孔を内設する枠と、
上記枠の表面に接合され、且つ該表面に開口する上記貫通孔の開口部を閉塞する平面視が矩形状で且つ透光性を有する蓋板と、を備えた発光装置であって、
上記蓋板の各側面は、平面視で上記枠の上面の最外部よりも当該蓋板の中央側に位置するように離れていると共に、上記蓋板の各側面は、外側に凸の曲面を有している、
ことを特徴とする発光装置。
【請求項３】
前記底部板は、平板であるか、あるいは、前記上面の周辺に沿って立設し且つ前記枠の裏面と接合される四辺の側壁を有する箱状体である、
ことを特徴とする請求項２に記載の発光装置。
【請求項４】
表面および該表面に対向する裏面を有する板状の絶縁材からなり、前記表面と裏面との間を貫通し且つ平面視で格子状に配置された複数の貫通孔を有する枠体と、上記表面における上記貫通孔ごとの開口部を閉塞し且つ透光性を有する複数の蓋板と、を備えた蓋部材の製造方法であって、
絶縁材からなり、対向する表面および裏面を有する平板に打ち抜き加工を施して、平面視で全体が格子枠形状を呈すると共に、上記表面と裏面との間を貫通し且つ平面視で格子状に配置された複数の貫通孔を有する枠体を形成する工程と、
透光性を有する平板における一方の表面に上記枠体を接合して、平板付き枠体を形成する工程と、
上記平板付き枠体における上記枠体の表面側から当該枠体を構成する枠片ごとの幅方向における中間線に沿ってレーザーを照射することにより、上記透光性を有する平板を平面視が矩形状で且つ透光性を有する複数の蓋板に分割する工程と、を備え、
上記蓋板の各側面と隣接する蓋板の側面との間には、上記枠体の表面が露出していると共に、当該蓋板の各側面は、外側に凸の曲面を有している、
ことを特徴とする蓋部材の製造方法。
【請求項５】
前記レーザーの照射により前記透光性を有する平板を平面視が矩形状で且つ透光性を有する複数の蓋板に分割する前記工程は、上記レーザーの照射によって前記枠体の表面側に断面Ｖ字形状の分割溝を併せて形成している、
ことを特徴とする請求項４に記載の蓋部材の製造方法。
【請求項６】
対向する上面および下面を有する絶縁材からなり、平面視が矩形状の前記上面の中央部に発光素子を搭載した底部板と、表面および該表面に対向する裏面を有する絶縁材からなり、上記底部板の上面における周辺上に沿って前記裏面が接合され、且つ貫通孔を内設する枠と、該枠の表面に接合され、且つ該表面に開口する上記貫通孔の開口部を閉塞する平面視が矩形状で且つ透光性を有する蓋板と、を備えた、を備えた発光装置の製造方法であって、
絶縁材からなり、対向する表面および裏面を有する平板に打ち抜き加工を施して、平面視で全体が格子枠形状を呈すると共に、上記表面と裏面との間を貫通し且つ平面視で格子状に配置された複数の貫通孔を有する枠体を形成する工程と、
透光性を有する平板における一方の表面に上記枠体を接合して、平板付き枠体を形成する工程と、
上記平板付き枠体における上記枠体の表面側から該枠体を構成する枠片ごとの幅方向における中間線に沿ってレーザーを照射することにより、上記透光性を有する平板を平面視が矩形状で且つ透光性を有する複数の蓋板に分割する工程と、
絶縁材からなり、対向する上面および下面を有するベース板において、平面視が矩形状である複数の製品領域ごとの底部板における上面の中央部に発光素子を搭載して、素子搭載済みベース板を形成する工程と、
上記素子搭載済みベース板における上記製品領域同士間の境界線と、上記枠体における枠片ごとの幅方向における中間線とが一致するように、上記素子搭載済みベース板の上面に上記枠体の裏面を接合して、上記各発光素子が上記枠体の枠片と、上記透光性を有する平板あるいは上記透光性を有する蓋板とによって閉塞された複数の発光装置を格子状に併有する発光装置ユニットを形成する工程と、
上記発光装置ユニットにおいて、透光性を有する複数の蓋板同士間に挟まれて露出する上記枠体の表面側から、該表面を含む上記枠片ごとの厚み方向における中間線に沿って、上記ベース板の下面に達する切断面を平面視で格子枠形状に形成することにより、上面の中央部に発光素子が搭載された底部板、上記貫通孔を内接する枠、および上記透光性を有する蓋板からなる複数の発光装置に分割する工程と、を含む、
ことを特徴とする発光装置の製造方法。
【請求項７】
前記枠体付き平板における前記透光性を有する平板を前記レーザの照射によって、透光性を有する複数の蓋板に分割する工程は、前記枠体付き平板を形成する工程の直後に行われるか、あるいは、前記発光装置ユニットを形成する工程の直後に行われる、
ことを特徴とする請求項６に記載の発光装置の製造方法。
【発明の詳細な説明】
【技術分野】
【０００１】
本発明は、蓋部材、これを用いた発光装置、およびこれらの製造方法に関する。
【背景技術】
【０００２】
例えば、上面の中央部に発光素子を搭載した金属からなる基体と、かかる基体の側面に前記発光素子を取り囲むように接着された箱形状で且つ金属からなる枠体と、かかる枠体の上面に開口するキャビティの開口部の周囲に接着され、且つ上記発光素子を外部から密封するガラスからなる透光性部材と、を備えてなる発光装置が提案されている（例えば、特許文献１参照）。
上記発光装置によれば、発光効率を極めて高くできる反面、前記ガラス製の透光性部材を予め所定の寸法にカッティングしておき、前記枠体ごとの上面に位置合わせしつつ接着せざるを得ない、という極めて煩雑な工程を必要としていた。
【０００３】
一方、複数個の電子装置を効率良く製造するため、上向きに開口するキャビティを有する複数の基板領域を併有する母基板を準備し、前記基板領域ごとのキャビティの底面上に電子部品素子を個別に搭載し、上記母基板の上面に複数のカバー領域を有する母カバーを接合した後、上記母基板および母カバーを基板領域間の境界ごとに沿って一括的に切断して、複数個の電子装置を同時に製造するようにした電子装置の製造方法も提案されている（例えば、特許文献２参照）。
しかしながら、前記発光装置のように、搭載された発光素子からの光を外部に放射するため、多数個取り用の母枠体の上面にガラス製の透光性部材を接合したものを、基板領域間の境界ごとに沿って一括的に切断した場合、個々の発光装置において蓋板となる上記ガラスに割れや欠けなどの破損が生じ易いと共に、搭載された発光素子の光の透過度を低下させる、という問題があった。
【先行技術文献】
【特許文献】
【０００４】
【特許文献１】特開２００４−２３５２０３号公報（第１〜７頁、図１，２）
【特許文献２】特開２００９−１０５４２２号公報（第１〜８頁、図１〜６）
【発明の概要】
【発明が解決しようとする課題】
【０００５】
本発明は、背景技術で説明した問題点を解決し、ガラスなどの比較的脆弱な透光性の材料からなる複数の蓋板ごとに割れや欠けなどの破損がなく、且つ多数個取りに精度良く適合し得る蓋部材、これを用いた発光装置、および、これらを効率良く確実に得られる蓋部材および発光装置の製造方法を提供する、ことを課題とする。
【課題を解決するための手段および発明の効果】
【０００６】
本発明は、前記課題を解決するため、絶縁材からなり且つ複数の貫通孔を併有する枠体における一方の表面に、前記貫通孔の開口部ごとを個別に閉塞し且つ各辺に曲面を有する透光性の蓋板を接合した蓋部材を活用する、ことに着想して成されたものである。
即ち、本発明の蓋部材（請求項１）は、表面および該表面に対向する裏面を有する板状の絶縁材からなり、前記表面と裏面との間を貫通し且つ平面視で格子状に配置された複数の貫通孔を有する枠体と、該枠体の上記表面における上記貫通孔ごとの開口部を閉塞し且つ透光性を有する複数の蓋板と、を備えた蓋部材であって、前記蓋板は、平面視で矩形状を呈し、該蓋板の各側面と隣接する蓋板の側面との間には、上記枠体の表面が露出していると共に、当該蓋板の各側面は、外側に凸の曲面を有している、ことを特徴とする。
【０００７】
これによれば、次のような効果（１）を奏することが可能となる。
（１）前記枠体の表面に開口する前記貫通孔の開口部を個別に閉塞する前記蓋板の各側面は、上記枠体の表面に囲まれており、且つ蓋板の各側面は外側に凸の曲面を有しているので、製造時において割れや欠けなどの破損が皆無であるか、著しく抑制されている。従って、上記蓋部材を複数の発光装置、あるいは複数の電子装置を多数個取りにて製造する際に用いることによって、所要の透光性を有する蓋板を備えた発光装置や電子装置を効率良く確実に提供することが可能となる。
【０００８】
尚、前記絶縁材は、例えば、アルミナや窒化アルミニウムなどのセラミック、あるいは、例えばエポキシ系などの合成樹脂からなる。
また、前記枠体の貫通孔は、例えば、平面視が矩形状（４つの内隅部に曲面を有する正方形あるいは長方形の形態を含む）や、円形状などである。かかる貫通孔の内壁面は、前記底部板の上面と共に、搭載すべき発光素子を収容するためのキャビティを形成する。
更に、前記透光性を有するとは、照射された光のほぼ全部あるいは一部を透過させることを意味し、例えば、紫外領域〜可視領域において、光透過率が７０％以上の特性を有することである。
また、前記透光性を有する蓋板や後述する透光性を有する平板は、ガラス板（例えば、ホウ珪酸ガラス、サファイヤ）、透光性セラミック（例えば、ＹＡＧ（Ｙ３Ａｌ５０１２ イットリウムアルミニウムガーネット）およびＹ２０３（酸化イットリウム））、透光性樹脂、あるいは波長変換材料（例えば、蛍光体）の何れかからなる。
【０００９】
更に、前記枠体の枠片は、隣接する２つの貫通孔に挟まれた枠部分を指す。
また、前記発光素子は、例えば、発光ダイオード（以下、ＬＥＤ素子と称する）や、レーザーダイオード（以下、ＬＤ素子と称する）などである。
更に、前記曲面には、単一の曲面の他、外側に凸である複数の曲面からなる形態も含まれる。該曲面の付近は、他の部分に比べて透光性が若干低くても良い。
また、前記蓋部材は、前記枠体の外周側に耳部（捨て代）を有していても良い。
加えて、前記蓋部材は、発光素子を搭載した発光装置を多数個取りにて製造する場合に用いられるほか、種々の電子部品を搭載した電子装置を多数個取りで製造する場合においても利用され得る。
【００１０】
また、本発明の発光装置（請求項２）は、対向する上面および下面を有する絶縁材からなり、平面視が矩形状の前記上面の中央部に発光素子を搭載した底部板と、表面および該表面に対向する裏面を有する絶縁材からなり、上記底部板の上面における周辺上に沿って前記裏面が接合され、且つ貫通孔を内設する枠と、かかる枠の表面に接合され、且つ該表面に開口する上記貫通孔の開口部を閉塞する平面視が矩形状で且つ透光性を有する蓋板と、を備えた発光装置であって、前記蓋板の各側面は、平面視で上記枠の上面の最外部よりも当該蓋板の中央側に位置するように離れていると共に、上記蓋板の各側面は、外側に凸の曲面を有している、ことを特徴とする。
【００１１】
これによれば、次のような効果（２）を奏することが可能となる。
（２）前記枠の表面に開口する前記貫通孔の開口部を閉塞する前記蓋板の各側面は、上記枠の表面に囲まれており、且つ外側に凸の曲面を有しているので、製造時において割れや欠けなどの破損が皆無であるか、著しく抑制されている。従って、上記のような蓋部材を有することにより、所要の透光性を有する蓋板を備えた発光装置を提供することが可能となる。
【００１２】
更に、本発明には、前記底部板は、平板であるか、あるいは、前記上面の周辺に沿って立設し且つ前記枠の裏面と接合される四辺の側壁を有する箱状体である、発光装置（請求項３）も含まれる。
これらのうち、前記底部板が平板の形態によれば、複数の発光装置を比較的簡素な多数個取りの工程によって、容易に且つ一層効率良く製造できる。一方、前記底部板が箱状体の形態によれば、搭載する発光素子の厚みに応じて、発光装置の厚み（高さ）を任意で且つ容易に調整することができる。
【００１３】
一方、本発明による蓋部材の製造方法（請求項４）は、表面および該表面に対向する裏面を有する板状の絶縁材からなり、前記表面と裏面との間を貫通し且つ平面視で格子状に配置された複数の貫通孔を有する枠体と、上記表面における上記貫通孔ごとの開口部を閉塞し且つ透光性を有する複数の蓋板と、を備えた蓋部材の製造方法であって、
絶縁材からなり、対向する表面および裏面を有する平板に打ち抜き加工を施して、平面視で全体が格子枠形状を呈すると共に、上記表面と裏面との間を貫通し且つ平面視で格子状に配置された複数の貫通孔を有する枠体を形成する工程と、透光性を有する平板における一方の表面に上記枠体を接合して、平板付き枠体を形成する工程と、前記平板付き枠体における上記枠体の表面側から当該枠体を構成する枠片ごとの幅方向における中間線に沿ってレーザーを照射することにより、上記透光性を有する平板を平面視が矩形状で且つ透光性を有する複数の蓋板に分割する工程と、を備え、上記蓋板の各側面と隣接する蓋板の側面との間には、上記枠体の表面が露出していると共に、当該蓋板の各側面は、外側に凸の曲面を有している、ことを特徴とする。
【００１４】
これによれば、前記効果（１）を奏する前記蓋部材を確実に製造することが可能となる（効果（３））。
尚、前記打ち抜き加工は、パンチピンと該パンチピンの先端部を受け入れる透孔を有するダイとを併用して行われる。
また、前記幅方向とは、前記平面視と直交する方向である。
更に、前記中間線は、仮想の線（面）であり、且つ切断予定面でもある。
また、前記レーザーには、ＹＡＧレーザー、炭酸ガスレーザー、半導体レーザー、あるいはエキシマレーザーなどが用いられる。
加えて、前記接合は、例えば、低融点金属（Ａｕ−Ｓｎ系など）によるロウ付け、あるいは、有機系接着材（エポキシ系接着材、ポリウレタン系接着材、ホットメルト接着材など）や、低融点ガラス（ガラスフリットなど）を用いた接着により行われる。
【００１５】
また、本発明には、前記レーザーの照射により前記透光性を有する平板を平面視が矩形状で且つ透光性を有する複数の蓋板に分割する前記工程は、上記レーザーの照射によって前記枠体の表面側に断面Ｖ字形状の分割溝を併せて形成している、蓋部材の製造方法（請求項５）も含まれる。
これによれば、前記レーザーの照射によって、前記透光性を有する平板を複数の蓋板に分割すると共に、前記枠体の表面側に断面Ｖ字形状の分割溝を併せて形成できるので、前記効果（３）を一層効率良く奏することが可能となる。
尚、上記レーザーの照射は、透光性を有する平板に照射する際と、枠体の表面側に照射する際とを連続して行っても良いし、あるいは、該レーザーの照射条件を相違させて２段階により行っても良い。
また、前記枠体の裏面側にも、対向する分割溝を前記レーザーの照射により更に形成する他、該裏面側の分割溝だけを刃物により形成しても良い。
【００１６】
更に、本発明による発光装置の製造方法（請求項６）は、対向する上面および下面を有する絶縁材からなり、平面視が矩形状の前記上面の中央部に発光素子を搭載した底部板と、表面および該表面に対応する裏面を有する絶縁材からなり、上記底部板の上面における周辺上に沿って前記裏面が接合され、且つ貫通孔を内設する枠と、該枠の表面に接合され、且つ該表面に開口する上記貫通孔の開口部を閉塞する平面視が矩形状で且つ透光性を有する蓋板と、を備えた、を備えた発光装置の製造方法であって、
絶縁材からなり、対向する表面および裏面を有する平板に打ち抜き加工を施して、平面視で全体が格子枠形状を呈すると共に、上記表面と裏面との間を貫通し且つ平面視で格子状に配置された複数の貫通孔を有する枠体を形成する工程と、透光性を有する平板における一方の表面に上記枠体を接合して、平板付き枠体を形成する工程と、前記平板付き枠体における上記枠体の表面側から該枠体を構成する枠片ごとの幅方向における中間線に沿ってレーザーを照射することにより、上記透光性を有する平板を平面視が矩形状で且つ透光性を有する複数の蓋板に分割する工程と、絶縁材からなり、対向する上面および下面を有するベース板において、平面視が矩形状である複数の製品領域ごとの底部板における上面の中央部に発光素子を搭載して、素子搭載済みベース板を形成する工程と、前記素子搭載済みベース板における上記製品領域同士間の境界線と、上記枠体における枠片ごとの幅方向における中間線とが一致するように、上記素子搭載済みベース板の上面に上記枠体の裏面を接合して、上記各発光素子が上記枠体の枠片と、上記透光性を有する平板あるいは上記透光性を有する蓋板とによって閉塞された複数の発光装置を格子状に併有する発光装置ユニットを形成する工程と、前記発光装置ユニットにおいて、透光性を有する複数の蓋板同士間に挟まれて露出する上記枠体の表面側から、該表面を含む上記枠片ごとの厚み方向における中間線に沿って、上記ベース板の下面に達する切断面を平面視で格子枠形状に形成することにより、上面の中央部に発光素子が搭載された底部板、上記貫通孔を内設する枠、および上記透光性を有する蓋板からなる複数の発光装置に分割する工程と、を含む、ことを特徴とする。
【００１７】
これによれば、前記効果（２）を奏する前記発光装置を多数個取りの形態によって、効率良く確実に製造することが可能となる（効果（４））。
尚、前記境界線も仮想の線（面）であり、且つ切断予定面でもある。
また、前記発光装置ユニットに切断面を形成して、複数の前記複数の発光装置に分割する工程は、高速回転する丸形刃物を用いるダイシング加工により行われる。上記切断面の一部には、前記レーザー照射により前記枠体の表面側に形成した分割溝の内壁面も含まれる。
更に、前記切断面は、個々の発光装置の本体における四辺の側面となる。
加えて、複数の発光装置を格子状に併有する前記発光装置ユニットは、そのままディスプレイ装置やその一部として用いることも可能である。
【００１８】
また、本発明には、前記枠体付き平板における前記透光性を有する平板を前記レーザーの照射によって、透光性を有する複数の蓋板に分割する工程は、前記枠体付き平板を形成する工程の直後に行われるか、あるいは、前記発光装置ユニットを形成する工程の直後に行われる、発光装置の製造方法（請求項７）も含まれる。
これによれば、前記レーザーの照射により、透光性を有する複数の蓋板に分割する工程を、製造方法全体において選択できるので、種々の製造条件に対応して自在に製造工程の順序を設定することが可能となる（効果（５））。
【図面の簡単な説明】
【００１９】
【図１】本発明による一形態の発光装置を示す斜視図。
【図２】図１中のＸ−Ｘ線の矢視に沿った垂直断面図。
【図３】複数の上記発光装置を併有する発光装置ユニットを示す斜視図。
【図４】本発明による一形態の蓋部材を示す斜視図。
【図５】上記蓋部材の垂直断面図。
【図６】上記蓋部材を構成する枠体を示す斜視図。
【図７】（Ａ）〜（Ｆ）は上記蓋部材および発光装置の製造工程を示す概略図。
【図８】（Ａ），（Ｂ）は図７（Ｆ）に続く上記発光装置の製造工程を示す概略図。
【図９】（Ａ），（Ｂ）は異なる形態の上記発光装置の製造工程を示す概略図。
【図１０】（Ａ），（Ｂ）は更に異なる形態の発光装置の製造工程を示す概略図。
【図１１】（Ａ），（Ｂ）は図１０に示す製造工程の応用形態を示す概略図。
【図１２】異なる形態の発光装置を示す垂直断面図。
【図１３】（Ａ）は異なる形態の枠体を示す平面図、（Ｂ）は該枠体を用いた蓋部材の部分垂直断面図。
【図１４】（Ａ）は更に異なる形態の枠体を示す平面図、（Ｂ）は該枠体を用いた蓋部材の部分垂直断面図、（Ｃ）は該蓋部材を用いた発光装置を示す垂直断面図。
【発明を実施するための形態】
【００２０】
以下において、本発明を実施するための形態について説明する。
図１は、本発明による一形態の発光装置１ａを示す斜視図、図２は、図１中のＸ−Ｘ線の矢視に沿った垂直断面図である。
かかる発光装置１ａは、図１，図２に示すように、対向する表面３および裏面４とこれらの間に位置する四辺の側面５とを有し、全体が箱形状を呈する本体２ａと、該本体２ａの表面３に開口するキャビティ６と、前記本体２の表面３上に接合され且つ前記キャビティ６の開口部を封止する蓋板１８とを備えている。
上記本体２ａは、平板状の底部板２１ａと、該底部板２１ａの上面２２の周辺に沿って接合された四角筒形状の枠１１ｆとからなる。かかる底部板２１ａと枠１１ｆとは、例えば、アルミナなどの高温焼成セラミック（絶縁材）からなり、該底部板２１ａと枠１１ｆとの上記接合は、例えば、アルミナからなる接着材またはガラスからなる接着材を用いた接着による。尚、上記底部板２１ａと枠１１ｆとの接着は、後述する枠１１ｆと蓋板１８との接合よりも低い温度で行われる。
また、上記キャビティ６は、平面視が矩形（正方形あるいは長方形）状の底面７と、該底面７の周辺から垂直に立設した四辺の側面８とからなる。
尚、上記キャビティ６の底面７は、上記底部板２１ａの上面２２と共通であり、前記本体２の裏面４は、上記底部板２１ａの下面２３と共通している。更に、上記キャビティ６の側面８は、後述する貫通孔１４と共通している。
【００２１】
更に、前記蓋板１８は、例えば、ホウ珪酸からなり且つ透光性を有するガラス（例えば、商品名：パイレックス（コーニング社、登録商標）、商品名：テンパックス（ショット社、登録商標））であって、平面視が矩形状を呈すると共に、四つの側面は、図２の垂直断面図で示すように、外側に凸の曲面１９を有している。かかる蓋板１８の各側面は、前記枠１１ｆの表面３における最外部側でもある側面５よりも当該蓋板１８の中央側に位置している。
上記蓋板１８と枠１１ｆとの接合は、例えば、比較的低融点のＡｕ−Ｓｎ系合金からなるロウ材を用いたロウ付けによる。
図２に示すように、前記底部板２１ａの上面２２で且つ前記キャビティ６の底面７の中央側には、複数の素子搭載用パッド２５が形成され、前記底部板２１ａの下面２３で且つ前記本体２の裏面４の周辺側には、複数の外部接続端子２６が形成されている。上記複数の素子搭載用パッド２５と、複数の外部接続端子２６との間は、底部板２１ａの厚み方向に沿って形成されたビア導体２７，２８を介して個別に導通可能とされている。該ビア導体２７，２８間は、図示しない内部配線層を介して導通可能とされている。
【００２２】
前記複数の素子搭載用パッド２５の上方には、ロウ材を介して、ＬＥＤ素子（発光素子）２９が搭載されている。
尚、前記素子搭載用パッド２５、外部接続端子２６、およびビア導体２７，２８は、ＷまたはＭｏの何れか一方あるいは双方を含む合金からなる。但し、前記底部板２１ａが例えばガラス−セラミックなどの低温焼成セラミックからなる場合には、ＣｕまたはＡｇの何れか一方あるいは双方を含む合金が用いられる。
また、前記ビア導体２７，２８は、前記底部板２１ａが複数層のセラミック層からなる場合の形態であり、底部板２１ａが単層の場合には、該底部板２１ｂを貫通する単一のビア導体が用いられる。
因みに、発光装置１ａの本体２ａのサイズは、平面視で約５ｍｍ×約５ｍｍで、且つ厚み（高さ）が約１ｍｍであり、前記蓋板１８のうち、前記曲面１９を有する各辺部を除いた平板部の厚みは、約３００μｍである。
以上のような発光装置１ａによれば、前記のような蓋板１８の形態によって、前記効果（２）を奏することが可能である。
【００２３】
図３は、複数の前記発光装置１ａを縦横方向に沿って併有する発光装置ユニット３０を示す斜視図である。
かかる発光装置ユニット３０は、複数の前記底部板２１ａを格子状に併有する素子搭載済みベース板２０と、複数の前記枠１１ｆを格子状に併有する枠体１１ａとを、前記接着材により接合したユニット本体３２からなる。前記枠体１１ａの発光装置１ａごとの製品領域には、前記キャビティ６の開口部を閉塞する前記蓋板１８が、個別に前記ロウ付けにより予め接合されている。尚、図３中の符号１５は、枠体１１ａの切断予定面（後述する境界線）であり、符号２４は、上記ベース板２０の切断予定面（後述する中間線）である。
以上のような発光装置ユニット３０は、複数の前記発光装置１ａを製造する過程において得られるが、そのままでもディスプレイ装置やその一部として用いることが可能である。
【００２４】
図４は、本発明による一形態の蓋部材１０ａを示す斜め上方からの視覚による斜視図、図５は、かかる蓋部材１０ａの垂直断面図、図６は、該蓋部材１０ａを構成する枠体１１ａの斜め上方からの視覚による斜視図である。
蓋部材１０ａは、図４〜図６に示すように、表面１２および該表面１２に対向する裏面１３を有する板状のセラミック（絶縁材）からなり、前記表面１２と裏面１３との間を貫通し且つ平面視で格子状に配置された複数の貫通孔１４を有する枠体１１ａと、該枠体１１ａの表面１２における前記貫通孔１４ごとの開口部を閉塞する複数の前記蓋板１８と、を備えている。
上記枠体１１ａは、後述するセラミックグリーンシートを打ち抜き加工した後、焼成したものである。また、複数の蓋板１８は、後述するように、上記枠体１１ａの表面１２の全面に透光性を有する平板（ガラス板）をロウ付け（接合）した後、上記枠体１１ａの貫通孔１４間に挟まれた個々の枠片における幅方向の中間線（面）１５に沿って、上記平板側からレーザーを照射することにより、個片化されると共に、個々の蓋板１８の各側面に外側に凸の曲面１９が形成されている。
以上のような蓋部材１０ａによれば、前記蓋板１８の形態により、前記効果（１）を奏することが可能である。尚、上記蓋部材１０ａは、前記枠体１１ａの外周に沿って、該枠体１１ａと同じセラミックからなる耳部を有していても良い。
【００２５】
以下において、前記蓋部材１０ａ、および該蓋部材１０ａを用いた前記発光装置１ａの製造方法について説明する。
予め、アルミナ粉末、バインダ樹脂、溶剤、および可塑剤などを適量ずつ配合してセラミックスラリーを作製し、該セラミックスラリーをドクターブレード法によって、シート状に成形することにより、図７（Ａ）に示すように、対向する表面１２および裏面１３を有するセラミックグリーンシート（絶縁性の平板、以下、単にグリーンシートと称する）１１ｓを得た。該グリーンシート１１ｓは、前記枠１１ｆごとの境界である仮想の中間線（面）１５によって、縦横に複数の領域に区分されていると共に、各辺の外周側に沿って耳部１１ｍを有している。
先ず、上記グリーンシート１１ｓに対して、図示しないパンチピンと該パンチピンの先端部を受け入れる透孔を有するダイとを併用する打ち抜き加工を施した。
【００２６】
その結果、図７（Ｂ）に示すように、前記表面１２と裏面１３との間を平面視で矩形状に貫通し、且つ平面視で格子状に配置された複数の貫通孔１４が形成された。該貫通孔１４同士ごとの間、および貫通孔１４と耳部１１ｍの外側面とに挟まれた図示で幅方向の中間位置には、前記中間線１５が位置していた。かかる複数の貫通孔１４を形成した前記グリーンシート１１ｓを焼成した結果、図示のような枠体１１ａが得られた。該枠体１１ａの厚みは、約５００μｍであった。
次に、図７（Ｃ）に示すように、上記枠体１１ａの表面１２の全面に、前記と同じロウ材を用いたロウ付して、ホウ珪酸ガラスからなり透光性を有する平板１７を接合することにより、平板付き枠体１６を形成した。
【００２７】
次いで、図７（Ｃ）中の矢印で示すように、前記平板付き枠体１６の透光性を有する平板１７に対し、前記枠体１１ａの枠片ごとの中間線１５に沿って、レーザーＬを直線状に照射した。該レーザーＬは、全体として平面視で格子状に走査された。この際、上記レーザーＬにより、前記平板１７のホウ珪酸ガラスが、枠体１１ａのセラミックよりも優先的に溶出された。尚、上記レーザーＬには、例えば、ＹＡＧレーザーを用い、その照射条件（出力、ショット数、パルス幅、スポット径、送り速度など）は、適宜調整した。
【００２８】
その結果、図７（Ｄ）に示すように、前記透光性を有する平板１７を、平面視が矩形状を呈し且つ各側面には外側に凸の曲面１９を有する複数の蓋板１８とし、且つこれら全体が平面視で格子状に配置されると共に、隣接する蓋板１８同士ごとの間には、前記枠体１１ａの表面１２が帯状に露出し、且つ該表面１２が平面視で格子枠形状を成している前記蓋部材１０ａを得ることができた。
一方、前述した方法と同じ方法によって、比較的薄肉である２枚のグリーンシート（図示せず）を得た。これらにおける所定の位置ごとに対し、小径のパンチピンと小径の透孔を有するダイとを用いて、打ち抜き加工を施して複数のビアホール（図示せず）を形成した後、各ビアホール内に、ＷあるいはＭｏ粉末を含む導電性ペーストを充填して、未焼成である複数のビア導体２７，２８を形成した。
【００２９】
次に、上記２枚のグリーンシートにおける少なくとも一方の表面に、前記と同じ導電性ペーストをスクリーン印刷して、未焼成である複数の素子搭載用パッド２５、外部接続端子２６、および内部配線層（図示せず）を形成した。
次いで、前記２枚のグリーンシートを積層し且つ圧着した後、同時焼成することにより、図７（Ｅ）に示すように、対向する上面２２および下面２３を有し、追って前記発光装置１となる製品領域ｐａごとに、複数の素子搭載用パッド２５、外部接続端子２６、およびビア導体２７，２８を有するベース板２１を得た。該ベース板２１の厚みは、約５００μｍであった。尚、外部に露出する上記素子搭載用パッド２５と、外部接続端子２６との表面には、所要の金属メッキを施した。その結果、例えば、ＮｉおよびＡｕのメッキ膜が順次被覆された。
更に、上記ベース板２１の製品領域ｐａごとにおける複数の素子搭載用パッド２５同士に上方に跨って、ＬＥＤ素子２９をロウ付けにより搭載した。
【００３０】
その結果、図７（Ｅ）に示すような素子搭載済みベース板２０が得られた。
尚、図７（Ｅ）中の符号２１ｍは、前記ベース板２１の耳部であり、符号２４は、複数の製品領域ｐａを区分する境界線である。
次いで、図７（Ｆ）中の白抜き矢印で示すように、前記枠体１１ａの中間線１５と、前記ベース板２１の各境界線２４とが一致するように、前記蓋部材１０ａと、素子搭載済みベース板２０とを厚み方向に沿って積層し、互いに面接触する前者の枠体１１ａの裏面１３と、後者のベース板２１の上面２２との間に、前記接着材と同種の接着材を配設して、両者を接合した。
【００３１】
その結果、図８（Ａ）に示すように、複数の発光装置１ａを平面視で格子状に併有する発光装置ユニット３０が得られた。
そして、上記発光装置ユニット３０に対し、前記中間線１５および境界線２４ごとに沿って、図示しない高速回転する丸形カッターを厚み方向および平面方向に沿って、前記枠体１１の表面１２から裏面１３に達するように、直線状で且つ全体が平面視で格子形状になるように挿入するダイシング加工を行った。
その結果、図８（Ｂ）に示すように、前記カッターによる切断面５ごとが前記本体２の側面５なった複数の発光装置１ａを製造することができた。尚、かかる切断加工後に除去された耳部１１ｍ，２１ｍは、廃棄される。
【００３２】
図９は、前記製造方法と一部が異なる形態の製造方法に関し、図９（Ａ）に示すように、前記平板付き枠体１６と、素子搭載済みベース板２０とを、前記同様にして積層し、次に、図９（Ｂ）に示すように、前者の枠体１１ａの裏面１３と、後者のベース板２１の表面２２とを接着による接合により、前記平板１７を含む発光装置ユニット３１を得ることもできる。
更に、図９（Ｂ）中の矢印で示すように、前記と同様にレーザーＬを照射して、透光性を有する前記平板１７を複数の蓋板１８に分割した後、前記の切断加工を行っても、前記同様に複数の発光装置１ａを製造することも可能となる。
【００３３】
図１０は、前記製造方法と更に異なる形態の製造方法に関し、図１０（Ａ）中の矢印で示すように、前記平板付き枠体１６の透光性を有する平板１７に対し、前記枠体１１ａの枠片ごとにおける表面１２側の中間線１５に沿って、レーザーＬを直線状に照射する際に、側面ごとに曲面１９を有する複数の蓋板１８に分割すると共に、引き続いて、上記レーザーＬを枠体１１ａの表面１２側にも、連続して照射するか、あるいは段階的に該レーザーＬの照射条件を替えて照射した。
その結果、図１０（Ｂ）に示すように、上記枠体１１ａの枠片ごとの表面１２側における中間線１５に沿って、断面Ｖ字形状の分割溝ｇｒが形成された。該分割溝ｇｒは、帯状の表面１２を介して蓋板１８ごとを囲むようにして形成される。そのため、前記発光装置ユニット３０を複数の発光装置１に分割する前記分割工程では、上記分割溝ｇｒに沿って剪断加工することにより容易且つ迅速に行うことが可能となる。尚、この際、分割溝ｇｒごとの内壁面は、前記発光装置１ごとの側面５の一部となる。
【００３４】
更に、図１１（Ａ）中の矢印で示すように、前記平板付き枠体１６の透光性を有する平板１７に対し、前記枠体１１ａの枠片ごとにおける表面１２側の中間線１５に沿った照射に加えて、記枠体１１ａの枠片ごとにおける裏面１３側の中間線１５に沿っても、更にレーザーＬを直線状に照射しても良い。
その結果、図１１（Ｂ）に示すように、上記枠体１１ａの枠片ごとの表面１２側における中間線１５に沿って、断面Ｖ字形状の分割溝ｇｒ１が形成されると共に、上記枠体１１ａの枠片ごとの裏面１３側における中間線１５に沿って、断面逆Ｖ字形状の分割溝ｇｒ２が対称に形成される。これにより、前記分割工程を一層容易に行うことが可能となる。尚、枠体１１ａの枠片ごとの裏面１３に設ける分割溝ｇｒ２のみを、図示しない刃物の挿入により形成しても良い。
以上のような発光装置１ａの製造方法によれば、前記効果（４），（５）を奏することができる。
また、前記のような蓋部材１０ａの製造方法によれば、前記効果（３）を奏することが可能となる。
尚、前記分割溝ｇｒ，ｇｒ１を形成する工程は、前記図９（Ｂ）で示したように、前記発光装置ユニット３１の平板１７に対して、前記レーザーＬを照射することにより、前記曲面１９の形成に続けて行うことも可能である。
【００３５】
本発明は、以上において説明した各形態に限定されるものではない。
例えば、図１２に示すように、全体が箱状を呈し且つ底部板２１ｂの上面２２の周辺に立設した側壁２１ｓの上面に、前記枠１１ｆの裏面１３を接合した本体２ｂを有する発光装置１ｂとしても良い。
また、図１３（Ａ）に示すように、平面視で縦横の中間線１５に囲まれた製品領域ごとに、断面が円形の貫通孔１４Ｒを穿孔した枠体１１ｂを用いても良い。かかる枠体１１ｂを用いることによって、図１１（Ｂ）の部分垂直断面図で示すような蓋部材１０ｂを得ることができる。上記枠体１１ｂは、前記ＬＥＤ素子２９のような発光素子を搭載した発光装置に対して好適に用いられる。
【００３６】
また、図１４（Ａ）に示すように、平面視で縦横の中間線１５に囲まれた製品領域ごとに、表面１２側が比較的大径で且つ裏面１３側が比較的小径であると共に、全体が円錐形状を呈する貫通孔１４ｒを穿孔した枠体１１ｃを用いても良い。
上記枠体１１ｃを用いることによって、図１４（Ｂ）の部分垂直断面図で示すような蓋部材１０ｃを得ることができる。上記枠体１１ｃも、前記ＬＥＤ素子２９のような発光素子を搭載した発光装置に対して好適に用いられる。
更に、上記蓋部材１０ｃを用いることによって、前記底部板２１ａの上面２２の周辺上に、円錐形状の側面８ｒを内設した枠１１ｇを接合してなる発光装置１ｃを製造することができる。
また、前記枠、枠体、ベース板、底部板、絶縁材からなる平板は、例えば、エポキシ系などの合成樹脂の積層体（互いに重ね塗りした形態や、コア基板の重ね塗りした形態）からなるものとしても良い。
【００３７】
更に、前記透光性を有する平板１７および蓋板１８は、透光性セラミック、透光性樹脂、あるいは波長変換材料からなるものとしても良い。
また、前記レーザーは、炭酸ガスレーザー、半導体レーザー、あるいはエキシマレーザーなどとしても良い。
更に、前記発光装置１ａなどの本体２ａ〜２ｃは、平面視で長方形を呈する形態としても良く、これらの形態による場合、前記枠体に穿孔する貫通孔は、断面が長円形状または楕円形状を呈する形態、あるいは、全体が長円錐形状または楕円錐形状を呈する形態としても良い。
加えて、前記蓋部材１０ａ〜１０ｃは、底部板２１ａ，２１ｂの上面２２側の中央部に、水晶振動子、ＩＣチップ、半導体素子、ＣＭＯＳ素子などの電子部品を搭載した電子装置、およびその製造方法に対して、適用することも可能である。
【産業上の利用可能性】
【００３８】
本発明によれば、ガラスなどの比較的脆弱な透光性材料からなる複数の蓋板ごとに割れや欠けなどの破損がなく、且つ多数個取りに精度良く適合し得る蓋部材、これを用いた発光装置、および、これらを効率良く確実に得られる製造方法を、提供することが可能となる。
【符号の説明】
【００３９】
１ａ〜１ｃ……………発光装置
５………………………側面／切断面
１０ａ〜１０ｃ………蓋部材
１１ａ〜１１ｃ………枠体
１１ｆ，１１ｇ………枠
１１ｓ…………………グリーンシート（平板）
１２……………………表面
１３……………………裏面
１４,１４Ｒ,１４ｒ…貫通孔
１５……………………中間線
１６……………………平板付き枠体
１７……………………透光性を有する平板
１８……………………蓋板
１９……………………曲面
２０……………………素子搭載済みペース板
２１ａ，２１ｂ………底部板
２２……………………上面
２３……………………下面
２４……………………境界線
２９……………………ＬＥＤ素子（発光素子）
３０，３１……………発光装置ユニット
ｐａ……………………製品領域
Ｌ………………………レーザー
ｇｒ，ｇｒ１…………分割溝
【図１】
2018060988.tif 000003
【図２】
2018060988.tif 000004
【図３】
2018060988.tif 000005
【図４】
2018060988.tif 000006
【図５】
2018060988.tif 000007
【図６】
2018060988.tif 000008
【図７】
2018060988.tif 000009
【図８】
2018060988.tif 000010
【図９】
2018060988.tif 000011
【図１０】
2018060988.tif 000012
【図１１】
2018060988.tif 000013
【図１２】
2018060988.tif 000014
【図１３】
2018060988.tif 000015
【図１４】
2018060988.tif 000016